(57)【要約】【課題】  印刷開始時においても、定着不良や過剰温度上昇のない良好な未定着トナー画像の加熱定着を行える定着装置を提供すること。【解決手段】  加熱定着装置の表面付近の温度を検出する第１温度検出素子よりもヒータに近い位置の温度を検出する第２温度検出素子を配置し、電源投入時などウォームアップ開始時において、前記第２温度検出素子温度と前記第１温度検出素子温度に基づいて、前記発熱体と前記加熱部材表面の温度伝達遅れ時間を算出し、印刷開始時に、上記算出した温度伝達遅れ時間分だけウェブの搬送が開始するよりも前に所定の定着温度に応じた熱量の供給を開始することを特徴とする。【選択図】図１
2005250247.tif 000002
【特許請求の範囲】
【請求項１】
発熱体を内蔵する加熱部材と、該加熱部材表面の温度を検知する第１温度検出素子と、該第１温度検知素子からの信号に基づいて前記発熱体の発熱量を制御する制御手段とを備え、前記加熱部材によりウェブに熱を供給することでウェブにトナー画像などを定着させる画像形成装置の定着装置において、前記第１温度検出素子よりもヒータに近い位置の温度を検出する第２温度検出素子を配置し、電源投入時などウォームアップ開始時において、前記第２温度検出素子温度と前記第１温度検出素子温度に基づいて、前記発熱体と前記加熱部材表面の温度伝達遅れ時間を算出し、印刷開始時に、上記算出した温度伝達遅れ時間分だけウェブの搬送が開始するよりも前に所定の定着温度に応じた熱量の供給を開始することを特徴とする画像形成装置の定着装置。
【請求項２】
前記定着装置における印刷停止時において、ウェブの搬送が停止するタイミングよりも前記温度伝達遅れ時間分早く熱量の供給を停止する制御手段を有することを特徴とする請求項１記載の画像形成装置の定着装置。
【発明の詳細な説明】
【技術分野】
【０００１】
本発明は画像形成装置に関するもので、詳しくは、ウェブに転写されたトナー画像を定着する定着装置に関するものである。
【背景技術】
【０００２】
従来の画像形成装置の定着装置では、転写部で転写されたトナー画像を溶融・圧接してウェブに定着する。このような定着装置として、内部に複数の発熱体としてのヒータランプ（以下、ヒータという）を配置した加熱ロールと、この加熱ロールに対し印刷時には接触加圧し、非印刷時には後退するように構成された加圧ロールと、印刷用紙の走行領域外に前記加熱ロールの表面温度を直接検出できる検出手段と、印刷用紙走行領域に前記加熱ロールの表面温度の変化に伴い検出値が変化することにより前記加熱ロールの表面温度を予測する予測手段と、前記検出手段と前記予測手段の出力値に基づき複数のヒータへのＯＮ／ＯＦＦを制御する制御手段を備えたことを特徴とする電子写真印刷装置の定着装置が提案され、実用化されている。
【０００３】
また前記加熱ローラの前段に配置され、ウェブに転写されたトナー画像が転写された面の裏側から加熱ローラによって定着される前に、ウェブを予め温め、加熱ローラによる定着を助ける働きをする予備加熱プレートなどが設けられている（例えば、特許文献１参照）。
【０００４】
これらを含めて本発明では、加熱定着装置と称して以下説明を進める。
【０００５】
【特許文献１】特開平１０−７８７２９号公報
【発明の開示】
【発明が解決しようとする課題】
【０００６】
加熱定着装置の検出温度に応じてヒータをＯＮ／ＯＦＦする制御を行う場合、加熱定着装置のヒータが発熱を開始しても、実際にウェブを加熱する加熱定着装置の表面まで熱が伝達するまでに遅れ時間があるため、印刷開始時に加熱定着装置の検出温度が低下していることを検出した時にヒータをＯＮしても、熱が加熱定着装置の表面まで直ぐには伝わらず、印刷開始時に加熱定着装置が必要とする温度に対して温度低下が発生し、画像形成装置の加熱定着装置としての性能が低下してしまう問題点がある。
【０００７】
また、熱の伝わりが遅ければ遅いほど、印刷を停止した時にそれまでの過剰に供給された熱が加熱定着装置の表面まで伝わり、オーバーシュートによる加熱定着装置の過剰な温度上昇によって、加熱定着装置の破損やヒータの印可電圧の無駄を招いている。
【課題を解決するための手段】
【０００８】
本発明は、加熱定着装置の表面付近の温度を検出する第１温度検出素子よりもヒータに近い位置の温度を検出する第２温度検出素子を配置し、ヒータが供給する熱量の制御を行う制御手段を備えたことを特徴とする。
【発明の効果】
【０００９】
本発明によれば、印刷開始時に加熱定着装置の温度が所定定着温度に対して低下することを抑制することができ、また印刷停止時には、加熱定着装置の温度が所定定着温度に対して大きく上昇することを抑制することができ、画像形成装置の加熱定着装置としての性能を向上させることができる。
【発明を実施するための最良の形態】
【００１０】
以下、本発明を一実施例を図面を参照しながら説明する。
【００１１】
図１は、本発明の画像形成装置の加熱定着装置を示す構成図であり、図３は、加熱定着装置の印刷シーケンス、図４は加熱定着装置の制御フローチャートを示す。
【００１２】
図１において、加熱定着装置ＴＳは発熱体であるヒータＨを内蔵し、加熱定着装置ＴＳとウェブＷが接触する付近の温度を検出する第１温度検出素子Ｋ１と該第１温度検出素子Ｋ１よりもヒータＨに近い位置の温度を検出する第２温度検出素子Ｋ２とを内蔵し、温度検出素子Ｋ１とＫ２の温度情報を、制御部１を経てＣＰＵ２より取り込むことができる。またヒータＨはＣＰＵ２により制御部１を経てＯＮ／ＯＦＦ制御することで、発熱量を制御する。
【００１３】
電源投入時などのウォームアップ開始時において、ヒータＨをＯＮすることで、加熱定着装置ＴＳの温度を所定定着温度まで上昇させる。その際図２に示すように、第２温度検出素子Ｋ２の検出温度ＴＫ２がＴａとなった時間ｔＫ２と、第１温度検出素子Ｋ１の検出温度ＴＫ１が温度Ｔａとなった時間ｔＫ１を計測し、その時間遅れｔをＣＰＵ２にて計測し、図示しないメモリーに記憶しておく。図４のフローチャートにおいてはステップＳ１にあたる。その後、加熱定着装置ＴＳが印刷可能状態となり、印刷していない状態で、所定定着温度を保つ制御である、図４におけるステップＳ２にあたる制御ＡにてヒータをＯＮ／ＯＦＦする。
【００１４】
次に、図３に示すように、コントローラ装置（図示せず）より画像形成装置へプリントスタート信号が送られてくると、ＣＰＵ２はプリントスタートを判断し、これからウェブＷの搬送を開始するタイミングに対して、時間遅れｔだけ前から制御Ｂと称すヒータ制御を実施する為に、ステップＳ３にてタイマをスタートする。制御Ｂとは、ウェブＷによって一定時間内に奪われるであろう熱量を、第１温度検出素子Ｋ１による検出温度ＴＫ１の変化にはよらずに供給する制御であり、ヒータＨをＯＮ／ＯＦＦする比率を一定時間内で変えることで供給熱量を変えて制御する。その比率は、所定定着温度によって、予め決められた図示しないデータテーブルをＣＰＵ２が選択する。
【００１５】
タイマスタート後、制御Ｂ開始タイミングが来るまでステップＳ４にて、制御Ａを継続し、タイムアウト後からウェブＷの搬送が開始されるまで、ステップＳ５の制御ＢにてヒータＨのＯＮ／ＯＦＦ制御が実施される。その後ウェブＷの搬送が開始されると、印刷中に所定定着温度を保つ制御であるステップＳ６の制御Ｃへとヒータ制御は移行する。
【００１６】
その後、図３に示すように、図示しないコントローラ装置よりプリンタへプリントストップ信号が送られてくると、ＣＰＵ２はこれからウェブＷの搬送を停止するタイミングに対して時間遅れｔだけ前の時間に相当するタイマをステップＳ７にてスタートし、ステップＳ８にてヒータＯＦＦを実施する。
【産業上の利用可能性】
【００１７】
発熱部分と熱放出部分の間に、熱の伝達遅れが大きく、伝達遅れによって発生する温度低下が問題となる用途にも適用できる。
【図面の簡単な説明】
【００１８】
【図１】本発明の一実施例を示す加熱定着装置の構成図。
【図２】本発明の一実施例における遅れ時間の計測方法を示す図。
【図３】本発明の一実施例における加熱定着装置の印刷シーケンス。
【図４】本発明の一実施例における加熱定着装置の制御フローチャート。
【符号の説明】
【００１９】
Ｈ…ヒータ、Ｗ…ウェブ、Ｋ１…温度検出素子１、Ｋ２…温度検出素子２、１…制御部、２…ＣＰＵ、ＴＳ…加熱定着装置。
【図１】
2005250247.tif 000003
【図２】
2005250247.tif 000004
【図３】
2005250247.tif 000005
【図４】
2005250247.tif 000006